(57)【要約】本発明の目的は、伝達情報を性格に映像化し、撮影前、作業中、印刷後の写真の信頼性の向上を図り、デジタルと共に無修正、高品質、作業簡略、経費削減、最小時間の実現を可能とし、多くのカラー写真撮影から光の色あるいは光質調整作業を完全に撤廃した撮影が可能で、汚れた影、余計なテカリ、フラットな奥行きの無い写真を一掃し、あらゆる角度から入ってくるハイライト、光の当たっていない濁った写真の一掃、より高度な自然表現を可能にした一灯階調照明装置を提供することにある。本発明は、一光源に直接照射用分割集光フード及び間接照射用集光フードを設け、かつ上記一光源の背後に、前記間接照射用分割集光フードから放射される光を反射させてその反射光を被写体又は被照射体に向けて照射する放射曲面状又は外部からの光を遮断し得る形状の反射フードを設けたことを特徴とする。
2003065118.tif 000002
【特許請求の範囲】
【請求項１】
被写体又は被照射体に向けて照射する一光源を直接照射と間接照射に分割して同時照射するために、前記一光源に直接照射用分割集光フード及び間接照射用分割集光フードを設け、かつ上記一光源の背後に、前記間接照射用分割集光フードから放射される光を反射させてその反射光を被写体又は被照射体に向けて照射する放射曲面状又は外部からの光を遮断し得る形状の反射フードを設けたことを特徴とする一灯階調照明装置。
【請求項２】
請求項１記載の一光源の位置は前記放射曲面状又は外部からの光を遮断し得る形状の反射フードとの距離が可変可能な伸縮自在構造であることを特徴とする請求項１記載の一灯階調照明装置。
【請求項３】
上記放射曲面状又は外部からの光を遮断し得る形状の反射フードにカメラアングル用切り込みが形成されていることを特徴とする請求項１又は２記載の一灯階調照明装置。
【請求項４】
上記放射曲面状又は外部からの光を遮断し得る形状の反射フードに形成したカメラアングル用切り込みは、不使用時にカメラアングル用切り込みカバーにて被覆形成されることを特徴とする請求項１、２又は３記載の一灯階調照明装置。
【請求項５】
上記放射曲面状又は外部からの光を遮断し得る形状の反射フードの中心部に貫通するパイプを設け、該パイプに上記一光源を支持する管状支柱を嵌合せしめて固定したことを特徴とする請求項１、２、３又は４記載の一灯階調照明装置。
【請求項６】
上記一光源は一本又は複数本からなる棒状発光体で構成されていることを特徴とする請求項１、２、３、４又は５記載の一灯階調照明装置。
【請求項７】
上記一光源の直接照射と間接照射の光量比を調節する光量比調節装置を備えていることを特徴とする請求項１、２、３、４、５又は６記載の一灯階調照明装置。
【請求項８】
上記一光源を支持する管状支柱はその支柱内を送風して該一光源を冷却する手段を備えていることを特徴とする請求項１、２、３、４、５、６又は７記載の一灯階調照明装置。
【請求項９】
被写体又は被照射体に向けて照射する一光源を直接照射と間接照射に分割して同時照射し、上記一光源の背後に、前記間接照射から放射される光を反射させてその反射光を被写体又は被照射体に向けて照射する放射曲面状又は外部からの光を遮断し得る形状の反射フードを設けたことを特徴とする一灯階調照明装置。
【請求項１０】
請求項９に係る一灯階調照明装置において、一光源の位置は前記放射曲面状又は外部からの光を遮断し得る形状の反射フードとの距離が可変可能な伸縮自在構造であることを特徴とする請求項９記載の一灯階調照明装置。
【発明の詳細な説明】
技術分野
本発明はプロ（業務）用多目的照明器具、デジタルスタジオの照明装置、美術工芸品、彫刻、国宝、重要文化財、博物館の展示品等の撮影、コマーシャルフォトスタジオ、カタログ広告、婚礼式場写真館、社内製品記録用照明器具、記録用人物写真、正しい鮮明な写真、街の写真館、多目的映像照明器具、レストランの照明や室内照明等の各種用途に使用される一灯階調照明装置に関する。
背景技術
カラー撮影の４大基本的影響要素として、照明、フィルム、レンズ、現像所が挙げられる。
１．  照明による影響
Ａ．  白黒時代の映像照明は、光量、大きさ（面積）、距離（部分スポット）の組み合わせの照明技術で質感、形状表現に、５灯、２０灯、５０灯のライトを使いつつ如何にも一灯照明であるかの様に表現して自然に見せる技術の時代もあった。
Ｂ．  スタジオ内の照明電球、照明器具は全て異なる光の色あるいは光質の下に照明の準備、全ての電球の寿命時間、フレネルレンズ付ライト、トレーシングペーパー、レフ版による間接照明、直射光、照明器具の埃など照明器具の数だけ異なる光の色あるいは光質を考慮して、複数の照明器具を使う場合、撮影準備完了時点での光の色あるいは光質の計測、調整、複雑多難な３原色調整作業は殆どのスタジオで拒否された。
Ｃ．  カラーフィルムに変わってから多灯照明の時、正式には撮影準備完了時点での被写体又は被照射体に当る光の色質（Ｙｅｌｌｏｗ、Ｍａｇｅｎｔａ、Ｃｙａｎ）をカラーメーターによる測定と調整で色比率の完全統一後に撮影を行っていた（一度の調整作業に３０分〜数時間要していた。）。或いは一つの照明光源を同じ条件で全てを照明することで調整不要の色再現状態となり、現在の標準的なスタジオ照明に一灯間接照明（箱型照明、照明用傘）が多く利用されている。そして全体的に均一な照明は曇り空の光線と同じ状態となり、平面的な色再現にとどまる利。
Ｄ．  異なる角度から入る異なる光の色あるいは光質の照明で撮影をしてしまうと一枚の写真に異なる色再現は不可能となる。
２．  フィルムによる影響    使用フィルムの種類（デジタルカメラは除く）
Ａ．  昼光色、室内光用フィルム等がある。全てにおいて照明される光が調整統一された光の色あるいは光質状態によってはじめて正しい色の再現が可能である。それと共に修正可能範囲の色映像の状態でもある。
Ｂ．  多くの写真家は経験と勘による通常使用状況下でのテスト撮影、レンズに色フィルター（ＣＣフィルター）でフィルムや照明に合った全体的な良い色を探し乳剤が変わり新しい製造番号のフィルムに変わる前にテストによるデータを持ち、撮影状態にあうと買いだめの在庫を確保し、ＣＣフィルターによる色調整で撮影に使用していた。
Ｃ．  デジタルカメラの場合、撮影前にホワイトバランス調整により照明された一部分を測定し、フィルターなしで全体の標準的色を探す。その時は印刷上がりの色参考プロッフとしてのポジフィルムか、プロッフ写真が必要になる。
３．  レンズによる影響
スタジオで使用するプロ用レンズでも、メーカーやシリーズで色が変わる。その色差を知っていると便利である。
４．  フィルム現像所による影響
Ａ．  何処の現像所も毎日の厳しいテストと調節はスタジオの照明器具による影響ほどの差はまったく無い。それぞれにコンスタントである。常に安定が重要であり、失敗や問題の無い限り変えない。現像待ち時間は３時間前後である。
以上が、カラー撮影の４大基本的撮影要素である。
従来は、直射光と間接光を別々に照射していたために、被写体又は被照射体に影が２つ出来ていた。２つの影を一つにするための試みとして補助ライトで補っていたが、複雑で影が余計出たり、フレヤーが出たり、フラットになるなどの難点があった。
直射光及びスポットライト、点光源の類は質感表現に適している反面、影が強くなり、被写体又は被照射体全体の形が影のために不明瞭となるという欠点があった。
間接照明の場合、物の形、状況表現に適している反面、細かい部分の質感表現ができない。そのため、二つのライトを照射して始めて形と質感とが再現できる。一灯、二灯では通常は写真表現が出来ない。そのために、スタジオでは五灯、十灯を用意している。
スポットライトと間接照明を使用した場合、ライティング終了後、２つの色の条件を同調させなければならない。ＲＧＢの比率を同じ状態にしなければカラー再現が出来ない。フィルム、ビデオとかデジタルに対し、一定の色条件でないと再現出来ない。
また、従来のスタジオに設けたスタジオ照明システムに係る照明装置として、所定の被駆動部位を所定の自由度で駆動可能な駆動部を設けた照明器具と、前記照明器具を遠隔操作可能なリモコン装置とを備えた照明装置において、前記リモコン装置は、前記被駆動部位の自由度に対応した自由度で動く可動部と、前記可動部の変化量を検出可能な変化量検出センサと、前記変化量検出センサで検出された変化量を前記照明器具に伝送可能な伝送処理部とを備え、前記駆動部は、前記伝送された変化量に応答して前記被駆動部位を駆動するようになっているものがある（例えば、特開平６−２９０６０４号公報参照。）。
本発明は上記の点に鑑みてなされたもので、その目的とするところは、伝達情報を正確に映像化し、撮影前、作業中、印刷後の写真の信頼性の向上を図り、デジタルと共に無修正、高品質、作業簡略、経費削減、最小時間の実現を可能とし、多くのカラー写真撮影から光の色あるいは光質調整作業を完全に撤廃した撮影が可能で、汚れた影、余計なテカリ、フラットな奥行きの無い写真を一掃し、あらゆる角度から入ってくるハイライト、光の当たっていない濁った写真の一掃、より高度な自然表現、印刷物の乱暴な写真乱用表現を一掃し、次世代の新しい芸術家、写真の新しい分野の発掘や、将来の印刷用プロッフ無しの写真業務の実現を可能にした一灯階調照明装置を提供することにある。
また本発明は一つの光源を使用することにより光源の色調整が不要で撮影が可能となり、一光源が同一照明器具から出ているので影が一つで立体感のある映像が実現できるようにしたものである。
発明の開示
本発明に係る一灯階調照明装置は、被写体又は被照射体に向けて照射する一光源を直接照射と間接照射に分割して同時照射するために、前記一光源に直接照射用分割集光フード及び間接照射用分割集光フードを設け、かつ上記一光源の背後に、前記間接照射用分割集光フードから放射される光を反射させてその反射光を被写体又は被照射体に向けて照射する放射曲面状又は外部からの光を遮断し得る形状の反射フードを設けたものである。
請求項１記載の一光源の位置は前記放射曲面状又は外部からの光を遮断し得る形状の反射フードとの距離が可変可能な伸縮自在構造であることを特徴とする。
上記放射曲面状又は外部からの光を遮断し得る形状の反射フードにカメラレンズ設置用の切り込みが形成されているものである。
上記放射曲面状又は外部からの光を遮断し得る形状の反射フードに形成したカメラレンズ設置用の切り込みは、不使用時に切り込みカバーにて被覆形成されることを特徴とする。
本発明に係る一灯階調照明装置は、上記放射曲面状又は外部からの光を遮断し得る形状の反射フードの中心部に貫通するパイプを設け、該パイプに上記一光源を支持する管状支柱を嵌合せしめて固定したことを特徴とする。
上記一光源は一本又は複数本からなる棒状発光体で構成されていることを特徴とする一灯階調照明装置である。
上記一光源の直接照射と間接照射の光量比を調節する光量比調節装置を備えていることを特徴とする一灯階調照明装置である。
上記一光源を支持する管状支柱はその支柱内を送風して該一光源を冷却する手段を備えていることを特徴とする一灯階調照明装置である。
本発明に係る一灯階調照明装置は、被写体又は被照射体に向けて照射する一光源を直接照射と間接照射に分割して同時照射し、上記一光源の背後に、前記間接照射から放射される光を反射させてその反射光を被写体又は被照射体に向けて照射する放射曲面状又は外部からの光を遮断し得る形状の反射フードを設けたことを特徴とする。すなわち、分割集光フードを設けなくとも、被写体又は被照射体に対する照明効果が素晴らしいものとなる。
請求項９に係る一灯階調照明装置において、一光源の位置は前記放射曲面状又は外部からの光を遮断し得る形状の反射フードとの距離が可変可能な伸縮自在構造であることを特徴とする。
発明を実施するための最良の形態
以下、本発明の一実施例を図面に基いて説明する。
本発明は、本出願人が米国特許商標庁に、２００２年  １月３１日付けで特許出願をし、出願番号は６０／３５３，３８４を基礎とした発明であります。
１は被写体又は被照射体に向けて照射する一光源で、一本又は複数本からなる棒状発光体で構成されているが、一光源で直接光と間接光とに分割可能であれば必ずしも棒状発光体である必要は無い。一光源１が棒状発光体１ａの場合、例えばフラッシュライト、クセノン光源、を同一円周上に所定間隔を置いて配置する。本例では５連で一光源１とした場合を示す。また、メタルハライド、クォーツライト等の場合は、複数本用いることなく単独使用可能である。２は直接照射用分割集光フード、３は間接照射用分割集光フードをそれぞれ示す。及び間接照射用分割集光フード３は棒状発光体１ａを包囲するようにして設置し、両者２，３は端部で光が漏れないように接合されている。直接照射用分割集光フード２及び間接照射用分割集光フード３は一体構造又は別体構造に作られていても良い。直接照射用分割集光フード２の反射面は被写体又は被照射体に向けた方向に配置され、間接照射用分割集光フード３の反射面は放射曲面状又は外部からの光を遮断し得る形状の反射フード４の反射面に向けて設置される。４は一光源１の背後に、間接照射用分割集光フード３から放射される光を反射させてその反射光を被写体又は被照射体に向けて照射する放射曲面状又は外部からの光を遮断し得る形状の反射フードで、例えばパラボラ式の階調全体照明用の反射フード４ａあるいは半球形形、箱型、筒型、逆台形形、正面壁及び底面壁の無い箱型等が採用され、内部の反射面は例えば銀レフ状反射素材で仕上げた撮影ボックス型や照明灯体構造に形成される。放射曲面状又は外部からの光を遮断し得る形状の反射フード４は直接照射用分割集光フード２及び間接照射用分割集光フード３よりも大きな反射面となるように形成される。
５は放射曲面状又は外部からの光を遮断し得る形状の反射フード４の中心部に垂下する如くして貫通するように設けたパイプである。このパイプ５には一光源１の基部を支持固定する管状支柱６を嵌合せしめ所定位置で固定可能としている。直接照射用分割集光フード２及び間接照射用分割集光フード３は支持部材及び光量比調節ノブ７を介してパイプ５にスライド可能に取り付けられている。すなわち、光量比調節ノブ７を操作することにより、直接照射用分割集光フード２及び間接照射用分割集光フード３が棒状発光体１ａに沿って前後に移動することになり直射及び間接照明の光量比が適宜変えられるようになっている。
一光源１の位置は放射曲面状又は外部からの光を遮断し得る形状の反射フード４との距離が可変可能な伸縮自在構造であり、例えばパイプ５の端部に設けた階調コントロール用固定具８でパイプ５に嵌合している管状支柱６を任意の位置で固定できるようにしている。この階調コントロール用固定具８の固定位置によって一光源１と反射フード４の距離が変わり、階調コントロールが行われる。９はパイプ５に設けた冷却ファンで、光源の熱を管状支柱６内を通して外部に排出する。１０は放射曲面状又は外部からの光を遮断し得る形状の反射フード４に形成したカメラアングル用切り込みである。このカメラアングル用切り込み１０にカメラレンズ１１を設置して撮影できるようにしている。カメラレンズ１１を設置しない場合は、そのカメラアングル用切り込み１０を塞ぐように、その切り込み１０と略同じ形状のカメラアングル用切り込みカバー１２を設ける。図中、１３は常時点灯可能なモデリング光源で、クオーツ電球等が使用される。１４は一灯階調照明装置を三脚又は吊り下げるための固定フックである。前記モデリング光源１３を一光源１とともに設置しない場合であってもよい。
図７は一光源１と放射曲面状又は外部からの光を遮断し得る形状の反射フード４を近付け、反射フード４の反射部を小さくして指向性の強調、明暗の強調により立体感の表現を表す説明写真である。一光源１と放射曲面状又は外部からの光を遮断し得る形状の反射フード４を近付けることにより、直射光主体の強い影が得られ、硬調な光が得られ、強いグラデーション階調が得られ、被写体又は被照射体の立体感を強調できる（図８参照）。
図９は一光源１と放射曲面状又は外部からの光を遮断し得る形状の反射フード４を離し、照射域を広くして全体照明を行い、直射光と全体照明で細部まで表現する場合の説明写真である。
一光源１と放射曲面状の反射フード４を離すことにより、広い照射面からの照明が得られ、軽い影と全体に自然な色を再現することが出来、明るいグラデーション階調による照明が得られる（図１０参照）。
本発明は、上記の説明から判るように、直射照明と間接全体照明を一光源で分割して行うこととしたので、光源の持つ光の色あるいは光質が完全に同調し、光源の色調整が不要であり、映像再現の照明器具として、色、形、艶の再現に必要な機能全てを一つの照明器具で表現することにより、視覚的に自然な映像として鑑賞できる。
また、被写体又は被照射体に強い光を出す直射光が当たり、被写体又は被照射体に影が出来ることとなるが、同一光源から出る間接光によってその影を和らげると共に暗い所も明るくすることができ、従来のように直射光と間接光を別々に照射していたときに生じた２つの影も生じない。したがって、２つの影を１つにするために補助ライト等を使用する必要が無い。
直射光及びスポットライト、点光源の類は質感表現に適している反面、影が強くなり、被写体又は被照射体全体の形が不明瞭となるが、本発明ではこのようなことが解消される。
従来、スポットライト（直射光）と間接照明を使用した場合、ライティング終了後、２つの色の条件を同調させなければならず、ＲＧＢの光（光の色あるいは光質）を同じ状態にする必要があったが、本発明ではこのようなことが解消される。
全ての色表現においての原点となる光の色あるいは光質の管理が、一光源の分割利用で、計測、調整、同調、複雑な時間と手間のかかる大調整作業が、全く不要となる。すなわち、色管理対策の革新となり、写真スタジオでは色管理から開放される。
本発明の直接照明は被写体又は被照射体である人の肌の中に染み込み反射して帰ることから、生色再現が可能となり、小さなキラッとしたハイライト、直射光による影の在る存在感があり、光源が小さいために表現できる、小さな時計の文字盤に刻まれた複雑多様なデザインも総て正しい色のまま再現できる。
もう一方の間接光もパラボラ等に向けて全体照明光源になり、光が全体を包む形と立体の再現、色の濃度、深い実物の色を再現するため、より多くの部分まで照明することができ、不自然な光の乱反射や影が無く、しっとりとしたシンプルな表現が実現できる。
従来、前面に照射するためにフラッシュバルブが半円、螺旋、Ｕ字型であったものを、直線に変え、あるいは短い複数又は単数のバルブを集光フードと共用することで、大光量及び超高速発光、早いモデルの動きも静止や動体撮影等が可能で、利用範囲の拡大となる。そして、熱量分散が行われ、安定性があり、高寿命並びに経済的である。
パワーを無駄なく、照射面、光質、形状調整ができ、光量比率調整機能が付いており、パラボラ照明によりソフトな立体形状が再現される。プロの機材として自由なカメラポジションは常に照明灯の中であり、当然、自由なライトポジションが得られ、スタジオ写真家が何処までも自由に作業することができる。
また切り込み部分に付属のカバーキャップを装着することにより丸いパラボラ等としても使用できる。
さらに、直射照明と間接全体照明を一光源で分割して行うこととしたので、分割集光フードを採用せずとも、光源の持つ光の色あるいは光質が完全に同調し、光源の色調整が不要であり、映像再現の照明器具として、色、形、艶の再現に必要な機能全てを一つの照明器具で表現することにより、視覚的に自然な映像として鑑賞できる。
また内部の一灯光源は放射曲面状又は外部からの光を遮断し得る形状の反射フードの反射壁と被写体又は被照射体との間を自由に可動でき、かつ一光源を分割する直接照射用分割集光フードと間接照射用分割集光フード無しで被写体に対し直射光と間接光の同時活用により、良好な撮影が可能となる。
【図面の簡単な説明】
図１は本発明の一実施例を示す一灯階調照明装置である一部切り欠き断面を有する概略説明の写真である。
図２は本発明の一実施例を示す光源分割フードの断面を示す概略説明の写真である。
図３は本発明の一実施例を示す一灯階調照明装置の概略説明の写真である。
図４は並列５連フラッシュクセノン光源の写真である。
図５は図４に常時点灯可能なモデリング光源を装着した場合の写真である。
図６は本発明の一実施例を示す一灯階調照明装置の断面写真である。
図７は光源と放射曲面状の反射フードを近付け、反射フードの反射部を小さくして指向性の強調、明暗の強調により立体感の表現を表す説明写真である。
図８は図７の平面写真である。
図９は光源と放射曲面状の反射フードを離し、照射域を広くして全体照明を行い、直射光と全体照明で細部まで表現する場合の説明写真である。
図１０は図９の平面写真である。
図１１は階調照明空間の照明状況を示す説明写真である。
【図１】
2003065118.tif 000003
【図２】
2003065118.tif 000004
【図３】
2003065118.tif 000005
【図４】
2003065118.tif 000006
【図５】
2003065118.tif 000007
【図７】
2003065118.tif 000008
【図８】
2003065118.tif 000009
【図９】
2003065118.tif 000010
【図１０】
2003065118.tif 000011
【図６】
2003065118.tif 000012
【図１１】
2003065118.tif 000013
【国際調査報告】
2003065118.tif 000014
2003065118.tif 000015
2003065118.tif 000016
2003065118.tif 000017